(57)【特許請求の範囲】
【請求項１】
勾配のある道路等の基盤上に骨材を敷き均して骨材層を形成し、その骨材層の上に複数個の舗装ブロックを配設した後、勾配方向に沿った所定長さの施工区間毎に注入材を注入して、前記骨材層の間隙を充填して基盤上に舗装ブロックを固着させる勾配区間におけるブロック舗装の構築方法であって、
ａ：注入材を注入するに先だって、少なくとも、注入材注入予定位置から勾配方向下流に向かう所定の領域に存在する舗装ブロック間に形成される目地空間部に間詰め材を充填する工程、及び／又は、
ｂ：複数個の舗装ブロックを配設するに際し、隣接する舗装ブロックの勾配方向に沿った側の側面を互いに密着させ、勾配方向に沿った方向には目地空間部を形成しないように複数個の舗装ブロックを配設する工程、を含むことを特徴とする勾配区間のブロック舗装の構築方法。
【請求項２】
注入材注入予定位置から勾配方向下流に向かう所定の領域が、勾配方向に沿った目地空間部に関しては、注入材注入予定位置から５０〜１００ｃｍ勾配方向下流までの領域であり、勾配方向に直交する方向に沿った目地空間部に関しては、注入材注入予定位置から２０〜４０ｃｍ勾配方向下流までの領域である、請求項１記載の勾配区間のブロック舗装の構築方法。
【請求項３】
注入材の注入が、勾配方向に沿った１〜２ｍの長さの施工区間毎に行われる請求項１又は２記載の勾配区間のブロック舗装の構築方法。
【請求項４】
骨材層を形成するに際し、骨材層を所定間隔毎に仕切る仕切り材を骨材層内に埋め込む工程を含む、請求項１、２又は３記載の勾配区間のブロック舗装の構築方法。
【請求項５】
仕切り材が、骨材層を、基盤上面に沿って二次元的に分布する複数の小室に仕切るものである請求項４記載の勾配区間のブロック舗装の構築方法。
【請求項６】
仕切り材が、骨材層を、少なくとも勾配方向において０．１〜５ｍ間隔に仕切るものである請求項４又は５記載の勾配区間のブロック舗装の構築方法。
【請求項７】
注入材の注入後、間詰め材上部空間を含め、目地空間部に目地材が充填される請求項１、２、３、４、５又は６記載の勾配区間のブロック舗装の構築方法。
【発明の詳細な説明】
【０００１】
【発明の属する技術分野】
本発明は、勾配区間におけるブロック舗装の構築方法に関し、詳しくは、勾配のある道路等の基盤上に骨材を敷き均して骨材層を形成し、その上面に複数個の舗装ブロックを配設した後、アスファルトセメントモルタルなどの注入材を注入して、前記骨材層の間隙を充填し基盤上に舗装ブロックを一体的に固着させる勾配区間におけるブロック舗装の構築方法に関するものである。
【０００２】
【従来の技術】
従来から、例えば、特開平６−３０６８０９号公報、国際公開第ＷＯ９７／１３９２３号公報、特開平１０−２３７８０４号公報などによって、道路等の基盤上に、舗装ブロックのレベリング層を兼ねた支持層となる骨材層を形成するなどした後に、複数個の舗装ブロックをその上面高さを揃えて配設し、次いで、基盤上面と舗装ブロック下面との間の空間に注入材を注入して舗装ブロックを安定化させるブロック舗装の構築方法が提案されている。
【０００３】
しかしながら、これら従来のブロック舗装の構築方法を、そのまま勾配のある区間に適用すると、注入時には液状である注入材には重力によって水平状態を保とうとするセルフレベリング性があるため、注入した注入材が、注入位置よりも勾配方向下流に位置する目地空間部からオーバーフローしたり、注入位置において舗装ブロック下の骨材層に浸透せずに、目地空間部を伝わって勾配方向下流に流れてしまうという現象が発生することがある。このような現象が発生すると、オーバーフローした注入材によって舗装ブロックが汚れるだけでなく、骨材層内には注入材の不足部分が生じて充填不足による空隙が残り、基盤上に舗装ブロックが安定して固着されないという不都合がある。
【０００４】
このため、従来、勾配区間にブロック舗装を構築するに際しては、勾配の最も下流側の区間から注入材の注入を開始し、目地空間部から注入材のオーバーフローが起こらず、かつ、基盤と舗装ブロック間の空間部に空隙が残らないような注入材の注入間隔を模索しながら、しかも、注入材が目地空間部を伝わって流れてしまわないように、単位時間当たりの注入量を小さく保って注入材を注入し、既注入の注入材の硬化を確認してから順次勾配上流区間に注入材の注入位置を移動させていくという手順を取らざるを得なかった。このため、従来のブロック舗装の構築方法を勾配区間に適用すると、作業効率が極めて悪く、往々にして、安定したブロック舗装を構築できないという問題点があった。
【０００５】
この問題を解決するために、基盤と舗装ブロックとの間の骨材層を形成する骨材の粒度を調整することによって、注入材の浸透性を変化させることも試みられているが、骨材の粒度を小さくして例えば砂のような細骨材とすると、注入材の充填が困難になるなどの問題があり、適度な骨材粒度の選択が困難である上に、施工区間の勾配の大小に応じて要求される浸透性が異なるため、施工区間の勾配の大小に応じて骨材粒度を変化させなければならず、実際には実施が困難な施工方法である。また、注入材のゲルタイムを調整して、目地空間部からのオーバーフローを抑制することも試みられているが、骨材粒度の調整による対応方法と同様に、逐次勾配が変化するような施工区間においては、施工区間毎にゲルタイムの異なる注入材を準備しなければならず、実際上はその施工が極めて困難である。このため、従来は、ブロック舗装は勾配区間に適用するには不向きな工法であると考えられていた。
【０００６】
【発明の解決しようとする課題】
本発明は、これらの従来技術が抱える問題点を解決するためになされたものであり、勾配区間に適用しても注入材のオーバーフローや目地空間部を伝わっての流下がなく、勾配区間においても安定したブロック舗装を効率良く構築することができるブロック舗装の構築方法と、その構築方法によって構築される勾配区間のブロック舗装構造を提供することを課題とする。
【０００７】
【課題を解決するための手段】
本発明者らは、上記課題を解決すべく勾配区間にブロック舗装を構築する工法について鋭意研究を重ねた結果、勾配区間においてブロック舗装を構築するに当たって、注入材を注入する前に、少なくとも、注入材注入予定位置から勾配方向下流に向かう所定の領域に存在する目地空間部に間詰め材を充填しておくか、或いは、隣接する舗装ブロックの勾配方向に沿った側の側面を互いに密着させ、勾配方向に沿った方向には目地空間部を形成しないように複数個の舗装ブロックを配設しておくか、更には、それら両者を併用することによって、勾配のある区間でも注入材が目地空間部を伝って流下したり、目地空間部からオーバーフローすることが防止され、かつ、舗装ブロック下の骨材層にも未充填の空隙が残らない、安定したブロック舗装を、容易に効率よく構築することができることを見出して、本発明を完成した。
【０００８】
すなわち、本発明は、勾配のある道路等の基盤上に骨材を敷き均して骨材層を形成し、その骨材層の上に、複数個の舗装ブロックを配設した後、勾配方向に沿った所定長さの施工区間毎に注入材を注入して、前記骨材層の間隙を充填して基盤上に舗装ブロックを固着させる勾配区間におけるブロック舗装の構築方法であって、
ａ：注入材を注入するに先だって、少なくとも、注入材注入予定位置から勾配方向下流に向かう所定の領域に存在する舗装ブロック間に形成される目地空間部に間詰め材を充填する工程、及び／又は、
ｂ：複数個の舗装ブロックを配設するに際し、隣接する舗装ブロックの勾配方向に沿った側の側面を互いに密着させ、勾配方向に沿った方向には目地空間部を形成しないように複数個の舗装ブロックを配設する工程、
を含むことを特徴とする勾配区間のブロック舗装の構築方法を提供するとともに、そのようなブロック舗装の構築方法によって構築される勾配区間のブロック舗装構造を提供することによって、上記課題を解決するものである。
【０００９】
本発明の構築方法においては、上述のように、注入材を注入するに先だって、少なくとも、注入材注入予定位置から勾配方向下流に向かう所定の領域に存在する目地空間部に間詰め材が充填されるので、注入した注入材が、注入位置で舗装ブロック下の骨材層に浸透せずに目地空間部を伝って勾配下流方向に流れてしまうことが防止されるとともに、一旦骨材層に浸透した注入材が、勾配方向下流位置で再び目地空間部から溢れ出し、オーバーフローすることもない。注入材注入予定位置から勾配方向下流に向かう間詰め材が充填される領域は、施工区間の勾配の大きさにも依存するが、道路等において通常予想される１０％以下程度の勾配であれば、勾配方向に沿った目地空間部に関しては、注入材注入予定位置から５０〜１００ｃｍ勾配方向下流までの領域であり、勾配方向に直交する方向に沿った目地空間部に関しては、注入材注入予定位置から２０〜４０ｃｍ勾配方向下流までの領域である。間詰め材は、このように所定の領域に存在する目地空間部だけに充填されれば良く、必ずしも、施工区間に存在する全ての目地空間部に充填される必要はない。
【００１０】
一方、本発明の構築方法においては、勾配方向に沿った目地空間部に間詰め材を充填する代わりに、複数個の舗装ブロックを配設するに際し、隣接する舗装ブロックの勾配方向に沿った側の側面を互いに密着させ、勾配方向に沿った方向には目地空間部を形成しないようにしても良い。このようにすることによって、注入された注入材が、目地空間部を伝って勾配下流方向に流れてしまうことが防止されるとともに、一旦骨材層に浸透した注入材が、勾配方向下流位置で再び目地空間部から溢れ出し、オーバーフローすることも有効に防止される。
【００１１】
注入材の注入は、施工区間を勾配方向に所定長さ毎に区切り、その所定長さに区切られた施工区間毎に、勾配方向下流側から順次上流側に向かって行うのが好ましい。しかしながら、後述するように、骨材層に仕切り材を埋め込んでおく場合には、仕切り材によって注入材の流動が遮断されるので、仕切り材で仕切られた施工区間内では、勾配方向下流側から順次上流側に向かって注入材の注入を行うのが好ましいが、仕切り材で仕切られた施工区間単位では、注入材の注入順序はまちまちであっても良い。
【００１２】
一施工区間内での注入材の注入は、その施工区間内で最も勾配上流側に位置する目地空間部、好ましくは、勾配方向と直交する方向の目地空間部から行うのが好ましい。しかしながら、勾配が比較的緩やかな場合には、必ずしも、施工区間内で最も勾配上流側に位置する目地空間部からでなくても良いし、勾配方向と直交する方向の目地空間部からでなくても良い。また、場合によっては、注入位置近傍の舗装ブロックを取り外し、目地空間部を一時的に拡大し、その拡大された目地空間部から注入材を注入し、注入後に、舗装ブロックを元の位置に戻すようにしても良い。一箇所の目地空間部からの注入材の注入で十分に充填できる骨材層の勾配方向の長さは、使用する注入材の物性や、施工区間の勾配の大きさにも依存するが、道路等において通常予想される１０％以下程度の勾配であれば、約１〜２ｍの範囲である。従って、本発明の構築方法においては、注入材の注入は、勾配方向に沿った約１〜２ｍの長さの施工区間毎に行うのが良い。
【００１３】
また、本発明の構築方法においては、骨材層を形成するに際し、骨材層を所定間隔毎に仕切る仕切り材を骨材層内に埋め込むのが望ましい。仕切り材としては、骨材層を勾配方向に沿った所定間隔毎に線状に仕切るものでも良いが、好ましくは、骨材層を、基盤上面に沿って二次元的に分布する複数の小室に仕切るものを用いるのが良い。このように仕切り材によって、骨材層を複数の領域に仕切っておくことにより、注入された注入材が仕切り材を越えて更に外側へと浸透することが防止され、かつ、仕切り材によって注入材の流動が遮断されるので、先に注入され硬化しつつある注入材が、その後、順次上流側から注入される注入材の圧力によって、徐々に流動して、目地空間部からオーバーフローを起こすことが有効に防止される。仕切り材の存在は、特に勾配が比較的大きな施工区間において有効である。仕切り材の埋設間隔は、施工区間の勾配の大きさにも依存するが、道路等において通常予想される１０％以下程度の勾配であれば、勾配方向においては、約０．１〜５ｍ間隔に骨材層内に埋め込むのが好ましい。なお、複数の小室を形成する仕切り材を用いる場合には、当該勾配領域全体にわたって仕切り材を埋設するのが望ましい。
【００１４】
本発明の構築方法においては、注入材の注入後、間詰め材上部空間を含め、目地空間部に目地材が充填される。従って、間詰め材は、目地空間の上部に、舗装ブロック厚の１／８〜１／２程度の空間を残す程度の深さまで充填されるのが好ましい。
【００１５】
上述のような本発明の構築方法によって構築されるブロック舗装は、骨材層と、その上に配設された複数個の舗装ブロックと、骨材層間隙を充填する硬化した注入材とを有し、少なくとも一部の目地空間部に間詰め材を有しているか、及び／又は、舗装ブロックの勾配方向に沿った側の側面が密着している舗装構造を有しており、場合によっては、更に、骨材層内に、骨材層を所定間隔毎に仕切る仕切り材を有している。このような構造を有する勾配区間におけるブロック舗装は、骨材層の骨材間隙が注入材によって十分に充填されており、基盤と舗装ブロックとが一体化された、安定で、かつ、耐久性に富む勾配区間におけるブロック舗装である。
【００１６】
なお、本発明において、基盤とは、その上に骨材を敷き均して骨材層を形成し、その上面に舗装ブロックを配設することができるもの全てを含み、典型的には、アスファルト安定処理層や、アスファルトコンクリート層、アスファルトセメント層などを挙げることができ、一般に基層と呼ばれるものも含むものである。また、本明細書でいう「勾配方向下流」とは、勾配方向の標高の低い方を、「勾配方向上流」とは、勾配方向の標高の高い方を指すものとする。また、場合によっては、勾配方向が一方向ではない場合や、配設される舗装ブロックの側面の方向が勾配方向と必ずしも一致しない場合があるが、そのような場合には、「勾配方向に沿った目地空間部」とは、勾配の最も大きい目地空間部を指し、「勾配方向と直交する方向に沿った目地空間部」とは、勾配の最も小さな目地空間部を指すものとする。
【００１７】
本発明の勾配区間のブロック舗装の構築方法並びに勾配区間のブロック舗装構造の対象は、歩道、車道に限られず、その他、ブロック舗装が必要とされる舗装箇所であれば全てを対象とし、例えば、コミュニティ道路、ショッピングモール、自転車道、公園、広場、駐車場等も含むものである。
【００１８】
【発明の実施の形態】
まず使用材料について説明する。
【００１９】
〈骨材〉
本発明で基盤上に敷き均す骨材は、連続粒度を有する骨材でも単粒度の骨材であってもよく、連続空隙が確保でき、通常の強度を有していれば石質、サイズ等は特に限定するものではない。砕石、鉱滓、玉砕、砂利、アスコン破砕材、コンクリート破砕材あるいは、人工焼成骨材、レンガ、タイル等の破砕材、陶磁器粒、エメリー等も使用することができるが、好ましくは、粒径５〜１３ｍｍの６号砕石、或いは、粒径１３〜２０ｍｍの５号砕石が用いられる。
【００２０】
〈舗装ブロック〉
本発明で使用する舗装ブロックとは、天然石、舗装用コンクリート、平板、レンガ、インターロッキングブロック、弾性ブロック、およびタイル等のいずれであっても良い。これら舗装ブロックには、その底面に空気抜きのスリットを設けておくのが好ましい。舗装ブロックの形状に特段の制限はなく、正方形或いは長方形などの四角形や、三角形、五角形、六角形、八角形、幾何学模様形、或いはそれらの組み合わせなど、舗装ブロックとして使用できるものであればどのような形状のものであっても良いが、舗装ブロック間に形成される目地空間部の形状が単純で本発明の構築方向の適用が比較的容易であるとう意味では、正方形、或いは、長方形などの四角形が好ましい。
【００２１】
天然石としては、主として大理石、花崗岩、安山岩、御影石等の石材を使用することができる。石材の形状としては、整形した直方体または立方体のブロックまたは石塊、これらの割石、整形石板および不整形石板等が用いられる。また、舗装用コンクリート平板としては、主としてＪＩＳ  Ａ  ５３０４に規定される舗装用コンクリート平板として、普通平板、カラー平板、洗い出し平板、擬石平板等が使用されるが、透水平板、タイル張り平板、絵入り平板なども使用できる。
【００２２】
レンガとしては、普通レンガ、インターロッキングブロックレンガ等があるが、普通レンガとしては、ＪＩＳ  Ｒ  １２５０に適合したものを好適に使用することができる。インターロッキングブロックとしては、インターロッキングブロック協会発行の平成６年版「インターロッキングブロック舗装」に記載されているインターロッキングブロックの品質規格に適合したものが好適に使用される。
【００２３】
弾性ブロックとしては、主として廃タイヤ等を粉砕して得られる粒状のゴムに結合材として液状ウレタン樹脂等を添加して加熱圧縮成形したものなどを使用することができ、タイルとしては、主としてＪＩＳ  Ａ  ５２０９に規定される磁器質、せっき質、陶器質等のタイルが使用される。また、タイルに粘弾性能を付加した弾性タイルも使用できる。
【００２４】
〈注入材〉
本発明で使用する注入材は、目地空間部から注入でき、骨材層に浸透して、骨材層を介して基盤と舗装ブロックとを一体的に固着することができるものであれば、どのような材料を使用しても良いが、好ましくは、流動性に優れ、十分な可使時間を有し、１時間以内にゲル化し、３時間以内には所定の強度を発現して、構築されたブロック舗装を交通開放することを可能にする速硬性を有するものが好ましく、具体的には、以下に述べるような、アスファルトセメントモルタル（以下、単に「ＡＣモルタル」という）が好ましい。
【００２５】
すなわち、ＡＣモルタルは、セメント、アスファルト乳剤、急硬性混和材、細骨材、凝結調整剤、アルミ粉末、膨張性混和材、添加剤および所要量の添加水からなる組成物である。個々の成分について詳述すれば以下のとおりである。
【００２６】
ＡＣモルタルに使用するセメントとしては、例えば、普通ポルトランドセメント、早強ポルトランドセメント、超早強ポルトランドセメント、中庸熱ポルトランドセメント、高炉セメント、シリカセメント、フライアッシュセメント、耐硫酸塩セメント、超速硬セメント、ジェットセメントなどが挙げられる。
【００２７】
ＡＣモルタルに使用するアスファルト乳剤は、ノニオン系アスファルト乳剤であって、アスファルトをノニオン系乳化剤、分散剤、安定剤等を使用して水中に乳化分散させて得られるものである。ノニオン系アスファルト乳剤中の固形分の含有量は、通常、４０〜７０重量％の範囲内である。固形分の含有量が４０重量％未満の場合には、ＡＣモルタルに所定の粘弾性を付与することができない傾向があるのに対し、固形分の含有量が７０重量％を超えると粘性が増大して、良好なＡＣモルタルが得られない傾向がある。なお、ノニオン系アスファルト乳剤中のアスファルトとしては、分解硬化後の特性を考慮して、針入度（２５℃）が４０〜３００程度のものが好ましい。
【００２８】
ＡＣモルタルに使用するアスファルト乳剤は、ポリマー入りのものでも、ポリマー入りでないものでも良いが、ポリマー入りアスファルト乳剤の方が好ましい。ポリマー入りアスファルト乳剤に用いられる樹脂エマルジョンとしては、ＳＢＲエマルジョン、アクリルエマルジョン、ＥＶＡエマルジョンなどがある。本発明では、主としてＳＢＲエマルジョンを配合したポリマー入りアスファルト乳剤が好適に使用される。ＳＢＲエマルジョンは、弱アルカリ性で、セメントおよびノニオン系アスファルト乳剤との混合性が良好である。アスファルト乳剤と樹脂エマルジョンとの混合比は、重量比で、（アスファルト乳剤）：（樹脂エマルジョン）＝９９〜７５：１〜２５の範囲が好ましく、より好ましくは、（アスファルト乳剤）：（樹脂エマルジョン）＝９５〜７５：５〜２５の範囲である。樹脂エマルジョンの重量比が１未満の場合には、樹脂エマルジョンを混合することによる効果が見られず、逆に樹脂エマルジョンの重量比が２５を超えると、ポリマー入りアスファルト乳剤が増粘し、良好なＡＣモルタルが得られないとともに、ポンプによる圧送作業も困難となる。
【００２９】
アスファルト乳剤あるいはポリマー入りアスファルト乳剤の使用量は、通常、セメント１００質量部に対し５０〜２３０質量部の範囲である。アスファルト乳剤あるいはポリマー入りアスファルト乳剤の使用量が５０質量部未満の場合は、ＡＣモルタルに所定の粘弾性を付与することができない。また、アスファルト乳剤あるいはポリマー入りアスファルト乳剤の使用量が２３０質量部を超える場合は、ＡＣモルタルの強度が低下してＡＣモルタル充填層の支持力を低下させる。
【００３０】
ＡＣモルタルに使用する急硬性混和材は、カルシウムアルミネートと無水石膏を、重量比で、１：１．４〜２．９の割合で混合して得られる混合物である。この混合物は、セメントに急硬性を付与してＡＣモルタルに早期の強度発現を与える。無水石膏の配合比が１．４未満では、急硬性が弱く、また、無水石膏の配合比が２．９を超えると急硬性が強くなりすぎ可使時間のコントロールが難しくなる。急硬性混和材の使用量は、通常、セメント１００質量部に対し、０〜１００質量部、好ましくは４０〜７０質量部の範囲である。急硬性混和材の使用量が１００質量部を超えると急硬性が強くなりすぎて作業が困難となる。なお、急硬性混和材の使用は必須条件ではなく、ＡＣモルタルの注入充填後の養生時間に制限がない場合は、使用しない場合がある。
【００３１】
ＡＣモルタルに使用する細骨材は、川砂、丘砂、山砂、スクリーンニングス、シリカサンド等である。その粒度は、通常、ＦＭ値（粗粒率）が１．０〜１．６の範囲が好ましい。ＦＭ値が１．０未満の場合は、ＡＣモルタルが増粘し、充填性が悪くなり、一方、ＦＭ値が１．６を超えると材料の分離を起こし易くなる。また、細骨材のかわりに、フライアッシュまたはシリカパウダー等の鉱物質の粉末状材料を使用しても良い。細骨材の使用量は、通常、セメント１００質量部に対し、６０〜３３０質量部の範囲である。細骨材の使用量が６０質量部未満の場合は、硬化後のＡＣグラウトが容積収縮を起こし易くなるのに対して、細骨材の使用量が３３０質量部を超えると材料分離を起こして作業が難しくなる。
【００３２】
ＡＣモルタルに使用する凝結調整剤とは、ポリカルボン酸等で、例えば、ジェットセッターなどが挙げられ、ＡＣモルタルの可使時間の調整に有用である。凝結調整剤の使用量は、通常、セメント１００質量部に対し、０〜５質量部の範囲である。凝結調整剤の使用量が５質量部を超えると可使時間は十分であるが早期の強度発現が期待できなくなる。
【００３３】
ＡＣモルタルに使用するアルミ粉末は、膨張率の調整のために、セメント１００質量部に対し、０〜０．０５質量部の範囲で用いられる。使用量が０．０５質量部を越えると、ＡＣモルタルの膨張破壊を起こす恐れがあるので、好ましくない。
【００３４】
ＡＣモルタルに使用する膨張性混和材には、石灰系とＣＳＡ系とがある。膨張性混和材は、骨材や目地の空隙に注入したＡＣモルタルの容積収縮によるひび割れ防止に効果があるばかりでなく、ＡＣモルタルの材料分離を防止し、分散性と水密性をもたらすのにも有用である。膨張性混和材の使用料は、通常、セメント１００質量部に対し、０〜４０質量部の範囲である。膨張性混和材の使用料が４０質量部を超えると、ＡＣモルタルが膨張破壊を起こす恐れがあるので好ましくない。
【００３５】
ＡＣモルタルに使用する添加剤には、流動化剤や空気連行剤がある。流動化剤はＡＣモルタルの作業性を向上させるためのもので、空気連行剤はＡＣモルタルの耐凍害性改善に有効である。その使用量は、通常、セメント１００質量部に対して１〜５質量部の範囲である。流動化剤が１質量部未満では効果がなく、反対に５質量部を越えるとＡＣモルタルの材料分離や硬化不良を引き起こし、好ましくない。また、空気連行剤が１質量部未満では効果がなく、反対に５質量部を越えるとＡＣモルタルの硬化が著しく阻害され、好ましくない。通常、流動化及び空気連行化を共に付与できる添加剤が使用されるが、それぞれ単独で用いても良く、両者を併用しても良い。
【００３６】
ＡＣモルタルに使用する添加水としては、通常、セメントに好ましくない有害物を含んでいない淡水であれば如何なるものでも使用できる。例えば、水道水、工業用水、地下水、河川水、湖沼水などである。
【００３７】
本発明で使用するＡＣモルタルは、次のような調製法によって造ることができる。すなわち、まず、所定の容器に所要量のアスファルト乳剤を投入し、ハンドミキサーを用いて攪拌しながら添加水、凝結調整剤、添加剤等の各所要量を添加して混合液を調製する。ついで、この混合液にセメント、急硬性混和材、細骨材、アルミ粉末の各所定量を添加して高速攪拌で練混ぜることにより、本発明で使用するＡＣモルタルを調製することができる。また、作業能率を上げるために、予め、セメントの中に急硬性混和材、細骨材、アルミ粉末を各所要量の配合で混ぜ合わせた混合物や、アスファルト乳剤の中に予め添加剤等を所要量混入したアスファルト乳剤を使用しても良い。調製されたＡＣモルタルは、直ちに、注入作業に供される。
【００３８】
〈間詰め材〉
本発明で使用される間詰め材としては、目地空間部への注入材の流入と、目地空間部からの注入材のオーバーフローを阻止できるものであれば特に限定するものではなく、砕石、川砂、海砂、山砂、珪砂、ガラスビーズ、スクリーニングス、鉱滓スラグ等が使用できるが、ＡＣモルタルが適度に浸透する６号砕石あるいは７号砕石が単独又はこれらを組み合わせて好んで使用される。
【００３９】
〈目地材〉
目地部に注入充填する目地材としては、注入材として用いられる上記ＡＣモルタルのほか、加熱式注入目地材または常温式注入目地材を使用することができる。加熱式注入目地材は、エラストマーアスファルト系、エラストマー樹脂系等からなる目地製品から選択する。また、常温式注入目地材は、ポリサルファイド系、ウレタン樹脂、エポキシ樹脂、アクリル樹脂、シリコン樹脂等からなる弾性目地製品から選択する。また、セメントミルク等も使用することができる。
【００４０】
〈仕切り材〉
本発明で使用される仕切材としては、骨材層内に埋め込んで使用することができる可撓性を有し、注入材の浸透、通過を防ぐ効果をもち、空隙を残さない脱気性を有し、注入材を介して骨材や基板、舗装ブロックなどと一体化するものが好ましい。このような特性を満足する限り材質に特に制限はなく、合成繊維（例えばポリエステル、ポリアミド、芳香族ポリアミド、ポリプロピレン、ポリエチレン、ビニロン、アクリル、ポリ塩化ビニール、ポリ塩化ビニリデン、ポリウレタン、フッ素樹脂など）、無機繊維（例えば耐アルカリガラス繊維）、天然有機繊維（例えば麻、綿など）、半合成繊維（例えばレーヨン、アセテートなど）、炭素繊維、金属繊維（例えばステンレス、スチールなど）等の繊維によって造られた織布、不織布、編布、網状布、マット（例えばフェルトなど）等およびこれらの材料による薄膜状のシートを使用することができる。また、金属線、プラスチック線などで造られた網およびシート、発泡プラスチック（例えば発泡ポリウレタン）のシート、さらには紙のシート、プラスチック、ゴム（例えばブタジエンゴムやクロロプレンゴムなど）のフィルムやシート、金属の箔、シート、メッシュなども使用することができる。以上の材料は、単独または複数を組み合わせて使用することができるが、一般には不織布や織布を使用するのが好ましい。
【００４１】
以上のような材料から構成される仕切り材は、通常、骨材層の層厚よりも広い幅を持つシート状で、使用時に適宜の長さに切断するなどして、骨材層内に埋め込まれる。なお、このようなシート状の仕切り材を用いる場合には、仕切り間隔等を施工者がその都度測定して仕切り位置を決めなければならない煩雑さがあるが、仕切り材として、予め決められた大きさの小室が蜂の巣状に複数個形成された仕切り材を使用する場合には、仕切り間隔等を施工者がその都度測定する手間が省けて便利である。このような仕切り材としては、例えば、シート状の材料の複数枚を互いに適宜の箇所で、熱融着、縫製、溶接、接着剤などの手段によって固着させるか、係合させるなどして、拡げたときに網状になり当該シート状材料からなる側壁で囲まれた小室が二次元状に多数形成されるものを使用すれば良い。このような仕切り材は、保管時や輸送時には、小室を押しつぶすように畳んでコンパクトにすることができ、使用時には基盤上に拡げるだけで簡単に、所定の間隔で二次元状に小室を多数形成させることができるという利点がある。
【００４２】
次に図面を用いて、本発明の勾配区間のブロック舗装の構築方法及びそれによって得られる舗装構造について説明する。
【００４３】
図１は、本発明の勾配区間のブロック舗装の構築方法の一例を説明するための模式図であって、便宜上、ブロック舗装構造を構成する各層を、それぞれ異なる位置で切り欠いて示してある。図１において、１は基盤を表し、基盤１には水平に対して角度αの勾配があるものとする。図１の例においては、基盤１は奥よりも手前側が低くなっている。このように勾配のある基盤１上にブロック舗装を構築するに際しては、まず、基盤１上にタックコートとして、例えば、アスファルト乳剤（「ＰＫ−４」、ニチレキ株式会社製）を０．４（ｌ／ｍ２）散布し、タックコート層２を形成する。タックコート層は、必ずしも必要という訳ではないが、後述する骨材や注入材との付着性を高めるために形成するのが望ましい。
【００４４】
次いで、タックコート層２の上に、例えば、粒径１３〜５ｍｍの６号砕石、或いは、粒径２０〜１３ｍｍの５号砕石を敷き均し、骨材層３を形成する。骨材層３の厚さに特に制限はないが、通常は、３〜１０ｃｍの厚さが良い。形成された骨材層３は、その上に配設される舗装ブロックのレベリングを兼ねた支持層として機能する。この骨材層３の上に、上面高さを揃えて平坦性を考慮し、複数の舗装ブロック４ａ、４ｂ、４ｃ・・・を配設する。なお、図１の例では、舗装ブロック４ａ、４ｂ、４ｃ・・・としては、長方形の形状のものを使用しているが、舗装ブロックの形状は長方形に限られる訳ではない。舗装ブロック４ａ、４ｂ、４ｃ・・・は、互いに間隔を空けて配設され、舗装ブロック４ａ、４ｂ、４ｃ・・・間には、勾配方向に沿った目地空間部５Ｌ２、５Ｌ３、５Ｌ４・・・と、勾配方向に直交する方向に沿った目地空間部５Ｒ１とが形成される。目地巾に特に制限はないが、通常は５〜１５ｍｍ程度である。
【００４５】
一方、注入材の注入予定位置は、注入材９を注入するための注入用ロート６が存在する、勾配方向に直交する方向に沿った目地空間部５Ｒ１であるので、その目地空間部５Ｒ１から、勾配方向下流に向かう所定の領域に間詰め材７、７、７・・・を充填する。間詰め材７、７、７・・・としては、目地空間部への注入材の流入と、目地空間部からの注入材のオーバーフローを阻止できるものであれば特に限定するものではなく、上述のように、川砂、海砂、山砂、珪砂、ガラスビーズ、スクリーニングス、鉱滓スラグ等が使用できるが、例えば、上述したＡＣモルタルを注入材として使用する場合には、粒径２．５〜１３ｍｍ、好ましくは、粒径２．５〜５ｍｍの砕石を使用するのが良い。
【００４６】
間詰め材７、７、７・・・の充填厚も、目地空間部への注入材の流入と、目地空間部からの注入材のオーバーフローを阻止できる程度であれば特に制限はないが、通常、使用する舗装ブロックの厚さの１／８〜１／２程度の深さの未充填空間を残すように充填される。例えば、厚さ８ｃｍの舗装ブロックを使用する場合には、間詰め材７、７、７・・・は、骨材層３の上面から４〜７ｃｍの深さに、好ましくは、５〜６ｃｍの深さに充填され、間詰め材７、７、７・・・の上部に、１〜４ｃｍ、好ましくは、２〜３ｃｍの未充填空間を残すように充填される。なお、この未充填空間には、後述するように、目地材で埋められる。
【００４７】
図１の例では、勾配方向に沿った目地空間部５Ｌ２、５Ｌ３、５Ｌ４・・・のみに間詰め材７、７、７・・・が充填されているように見えるが、図１を上から見た平面図である図２から明らかなように、間詰め材７、７、７・・・は、勾配方向と直交する方向に沿った目地空間部５Ｒ２、５Ｒ３にも充填されている。勾配方向に沿った目地空間部５Ｌ１、５Ｌ２、５Ｌ３・・・に関しては、間詰め材が充填される所定の領域は、注入材注入予定目地空間部５Ｒ１から、距離Ｌの範囲までであり、この距離Ｌの長さは、施工区間の勾配の大きさにも依存するが、道路等において通常予想される１０％以下程度の勾配であれば、注入材注入予定位置である目地空間部５Ｒ１から５０〜１００ｃｍである。
【００４８】
一方、勾配方向と直交する方向に沿った目地空間部５Ｒ２、５Ｒ３・・・に関しては、間詰め材が充填される所定の領域は、注入材注入予定位置である目地空間部５Ｒ１から、距離Ｒの範囲までであり、この距離Ｒの長さは、施工区間の勾配の大きさにも依存するが、道路等において通常予想される１０％以下程度の勾配であれば、注入材注入予定位置である目地空間部５Ｒ１から２０〜４０ｃｍである。間詰め材７、７、７・・・は、このように所定の領域に存在する目地空間部だけに充填されれば良く、必ずしも、施工区間に存在する全ての目地空間部に充填される必要はないが、場合によっては、施工区間に存在する全ての目地空間部に充填しても良い。更には、図１、図２の例では、勾配方向に沿った目地空間部５Ｌ１、５Ｌ２、５Ｌ３・・・への間詰め材の充填領域の長さを示す距離Ｌと、勾配方向と直交する方向に沿った目地空間部５Ｒ２、５Ｒ３・・・への間詰め材の充填領域の長さを示す距離Ｒとが異なっているが、距離Ｌと距離Ｒとは互いに等しくても良いことは勿論である。ただ、一般に、勾配方向に沿った目地空間部５Ｌ１、５Ｌ２、５Ｌ３・・・から注入材がオーバーフローする圧力の方が、勾配方向と直交する方向に沿った目地空間部５Ｒ２、５Ｒ３・・・から注入材がオーバーフローする圧力に比べて大きいと考えられるので、距離Ｌの方を距離Ｒよりも長くするのが好ましい。
【００４９】
間詰め材７、７、７・・・の充填が終了した後、注入用ロート６から注入材を注入する。注入材を注入する際に使用する注入用機器としては、注入用ロートに限られず、注入用ジョウロ、またはトレミー管等を用いても良い。注入された注入材は、目地空間部５Ｌ１、５Ｌ２、５Ｌ３・・・及び目地空間部５Ｒ２、５Ｒ３に間詰め材７、７、７・・・が充填されているので、目地空間部を伝わって勾配方向下流に流下することなく、また、目地空間部からオーバーフローすることもなく、注入目地空間部５Ｒ１から骨材層３に浸透し、骨材層３の空隙を隈無く充填しながら、勾配方向下流へと流れ、硬化して、舗装ブロック４ａ、４ｂ、４ｃ・・・を基盤１に一体的に固着する。このとき、必要であれば、注入材注入予定位置近傍にある舗装ブロック４ｂないしはその紙面上方に位置する舗装ブロックを一時的に取り除き、目地空間部５Ｒ１を一時的に拡大して、そこから注入材を注入するようにしても良い。注入材の注入終了後、一時的に取り除かれた舗装ブロックがまた元の位置に戻されることはいうまでもない。このような変形も当然に本発明の範囲内である。
【００５０】
目地空間部からの注入材のオーバーフローを避け、かつ、骨材層３を隙間なく充填するためには、注入材の注入は、所定長さの施工区間毎に行うのが好ましい。例えば図２に示す例では、１箇所からの注入材の注入によって充填される施工区間の長さはＳとして示されており、注入用ロート６よりも勾配方向下流にＳだけ離れた目地空間部５Ｒ６には、別途、注入用ロート６’が配置されており、それは、この目地空間部５Ｒ６も注入材の注入予定目地空間部であることを表している。注入材の注入は、勾配方向下流に位置する施工区間から開始し、注入充填した注入材が或る程度硬化したのを確認した後に、順次、勾配方向上流へと注入を進めるのが良い。一箇所の目地空間部からの注入材の注入で十分に充填できる骨材層の勾配方向の長さは、使用する注入材の物性や、施工区間の勾配の大きさにも依存するが、道路等において通常予想される１０％以下程度の勾配であれば、約１〜２ｍの範囲である。従って、１箇所からの注入材の注入によって充填される施工区間の長さＳとしては、約１〜２ｍの範囲とするのが良い。
【００５１】
なお、上記図１及び図２の例では、注入材の注入は、距離Ｓを単位に区切られた施工区間内で最も勾配上流側に位置する目地空間部から行っているが、必ずしも、施工区間内で最も勾配上流側に位置する目地空間部から注入する必要はなく、注入材の注入水頭圧によって、勾配方向上流側の骨材層３内へも注入材が流入、充填できる距離だけ、勾配方向下流側に下がった位置から注入材の注入を行っても良い。また、注入材の注入は、上記図１及び図２の例のように、勾配方向に直交する方向に沿った目地空間部を選択するのが好ましいが、場合によっては、勾配方向に沿った目地空間部であっても良い。
【００５２】
注入、充填された注入材の硬化を確認後、間詰め材の上部空間部を含めた目地空間部に目地材を充填し、ブロック舗装を完成させる。
【００５３】
図３は、本発明の勾配区間のブロック舗装の構築方法の他の例を説明するための平面図であり、図１、図２におけると同じものには同じ符号を付してある。図３の例では、舗装ブロック４ａ、４ｂ、４ｃ・・・は配設時に、勾配方向に沿った互いの側面を密着して配設されており、舗装ブロック４ａ、４ｂ、４ｃ・・・間には、勾配方向に沿った目地空間部が形成されていない。一方、勾配方向と直交する方向には、目地空間部５Ｒ１、５Ｒ２、５Ｒ３・・・が形成されており、目地空間部５Ｒ２、５Ｒ３には、間詰め材７、７が充填されている。
【００５４】
この状態で、目地空間部５Ｒ１に配置された注入用ロート６から注入材を注入すると、注入された注入材は、勾配方向に沿った目地空間部は存在せず、かつ、勾配方向に直交する方向に沿った目地空間部５Ｒ２、５Ｒ３には間詰め材７、７、７・・・が充填されているので、目地空間部を伝わって勾配方向下流に流下することなく、また、目地空間部からオーバーフローすることもなく、注入目地空間部５Ｒ１から骨材層３に浸透し、骨材層３の空隙を隈無く充填しながら、勾配方向下流へと流れ、硬化して、舗装ブロック４ａ、４ｂ、４ｃ・・・を基盤１に一体的に固着する。施工区間を所定距離Ｓ毎に区切り、勾配方向下流側から順次、注入材の注入、充填を行っていくこと、注入、充填された注入材の硬化を確認後、間詰め材の上部空間部を含めた目地空間部に目地材を充填し、ブロック舗装を完成させることは、図１、図２の例と同様である。
【００５５】
図４は、本発明の勾配区間のブロック舗装の構築方法の更に他の例を説明するための模式図であり、手前側が勾配上流側である。なお、タックコート層２は図示を省略してある。これまで説明した構築方法と異なる点は、骨材層３内に、基盤１上面と舗装ブロック４ａ、４ｂ・・・下面との間の骨材層３を勾配方向と直交する方向に仕切る仕切り材８が埋設されている点である（なお、仕切り材８の手前側にも骨材は存在するが、便宜上、図示していない）。仕切り材８は、骨材層３内に単に埋設し、骨材の重量によってその移動を防止するようにしても良いし、図示しないタックコートや適宜の接着剤などによって基盤１上に部分的に固定するようにしても良い。
【００５６】
このように仕切り材８を骨材層３内に埋め込んでおくことにより、図４中矢印で示す注入材の流れは、仕切り材８によって遮断され、注入材の流動区間を積極的に限定することが可能となる。これは、特に、勾配が大きな施工区間において有効であり、先に注入され硬化しつつある注入材が、その後、順次上流側から注入される注入材の圧力によって、徐々に流動して、オーバーフローを起こすことを防止することができる。
【００５７】
図５は、仕切り材８の埋設と、間詰め材７の充填とを併用した場合の例を示す側面図である。図示のように、仕切り材８は、Ｗの間隔をおいて骨材層３内に埋設されている。図示した仕切り材８は、断面形状がＳ字状となるように埋設しているが、仕切り材８の断面形状は図示のものに限られるものではなく、注入材の流を遮断することができるものであれば、断面形状が逆Ｓ字状であっても９０度回転したＵ字状であっても良い。
【００５８】
仕切り材８の埋設間隔Ｗは、施工区間の勾配の大きさに依存し、勾配が大きい場合は狭くし、勾配が緩い場合は広くするのが良いことは言うまでもないが、道路等において通常予想される１０％以下程度の勾配であれば、約０．１〜５ｍ、好ましくは約３〜５ｍとするのが良く、例えば、６．５％勾配の場合には、約４ｍが好ましい。埋設間隔Ｗが約０．１ｍ未満では、仕切り材８の埋設数が増し、作業が面倒となる。また、埋設間隔Ｗが約５ｍ超では、勾配が大きな場合には、次々と上流側に注入される注入材の圧力によって、下流側でオーバーフローを生じる危険性がある。なお、仕切り材８は、通常、勾配方向と直交する方向に沿って埋設されるが、目地空間部の方向と勾配方向と直交する方向とが必ずしも一致しない場合には、目地空間部に沿った方向に埋設しても良いし、適宜、注入した注入材の流動を遮断しようとする箇所に埋設すれば良い。
【００５９】
図５の例では、距離Ｗの施工区間は、長さＳの２個の注入区間によって等分されており、それぞれの注入区間において、注入予定目地空間部近傍から勾配方向下流側に向かう所定長さの領域に位置する目地空間部には、間詰め材７、７、７、７・・・が充填されている。図５に示す距離Ｗの施工区間内においては、まず、勾配方向下流側の注入用ロート６’から注入材９が注入され、その硬化を確認後、勾配方向上流側の注入用ロート６から注入材９が注入される。図５に示す距離Ｗの施工区間内において、骨材層３を充填する注入材９の流動は、勾配方向下流側の仕切り材８によって遮断され、また、勾配方向上流側の仕切り材８よりも更に上流側に注入材９が注入されても、その流動は、勾配方向上流側の仕切り材８によって遮断されるので、その圧力が、当該施工区間内の注入材９に及ぶことがない。従って、勾配方向下流側で注入材９が目地空間部からオーバーフローすることはない。また、上述のように、注入予定目地空間部近傍から勾配方向下流側に向かう所定長さの領域に位置する目地空間部には、間詰め材７、７、７、７・・・が充填されているので、注入された注入材９が目地空間部を伝わって勾配方向下流側に流下したり、途中の目地空間部からオーバーフローしたりすることもない。注入、充填された注入材９の硬化を確認後、間詰め材７、７、７、７・・・の上部空間部を含めた目地空間部に目地材を充填し、ブロック舗装を完成する。
【００６０】
仕切り材８としては、例えば図６に示すように、複数のシート状の仕切り材８ａ、８ｂ、８ｃ・・・を、互いに所定の固着箇所１０で固着し、拡げたときにシート状仕切り材８ａ、８ｂ、８ｃ・・・による側壁で囲まれた複数の小室１１ａ、１１ｂ、１１ｃ・・・が二次元状に形成される仕切り材８を用いても良い。このような仕切り材８は、保管時や輸送時には、小室１１ａ、１１ｂ、１１ｃ・・・を押しつぶすことによりコンパクトになり、使用時には、押し広げるだけで、予め決まった縦横の長さＤＬ、ＤＲの間隔で骨材層を仕切ることが可能であり、極めて便利である。なお、図６において、１２ａ、１２ｂ、１２ｃ・・・として示すのはシート状仕切り材８ａ、８ｂ、８ｃ・・・の下端部を一部折り曲げて形成した糊しろ部であるが、これについては後述する。
【００６１】
小室１１ａ、１１ｂ、１１ｃ・・・の縦横の長さＤＬ、ＤＲは、骨材層を線状に仕切る仕切り材８と同様に、施工区間の勾配等に応じて適宜決めれば良いが、通常は、０．１〜５ｍの範囲から選択される。縦横の長さＤＬ、ＤＲは縦横の長さＤＬ、ＤＲが、０．１ｍ未満では施工に手間がかかり適当ではない。一方、縦横の長さＤＬ、ＤＲが５ｍを越えると、勾配の大きさにもよるが、注入材注入時の圧力によるオーバーフローを止めることが困難になる。なお、縦横の長さＤＬ、ＤＲは、互いに同じでも異なっていても良く、異ならせる場合には、勾配方向の長さを勾配横断方向の長さよりも短くするのが好ましい。小室１１ａ、１１ｂ、１１ｃ・・・の形状にも特に制限はなく、正方形、長方形、円形、菱形、多角形等、どのような形状であっても良い。また、シート状仕切り材８ａ、８ｂ、８ｃ・・・を固着箇所１０で固着する手段に特に制限のないことは上述したとおりであり、熱融着、縫製、溶接、接着剤、係合等、適宜の手段を用いることができる。或いは、一体的に成形されたものであっても良い。
【００６２】
図７は、複数の小室を二次元状に形成した仕切り材８の使用形態を説明するための概略図である。この図の例においては、仕切り材８を構成するシート状仕切り材８ａ、８ｂ・・・の幅は骨材層３の厚さよりも広く、シート状仕切り材８ａ、８ｂ・・・の上下には、折り曲げることにより基盤１及び舗装ブロック４ａ、４ｂ、４ｃ・・・と面状に接触する糊しろ部１２ａ、１２ｂ・・・、１２ｐ、１２ｑ・・・を形成することができるようになっている。この仕切り材８を使用するには、まず、基盤１上に仕切り材８を拡げ、シート状仕切り材８ａ、８ｂ・・・の下部を折り曲げて糊しろ部１２ａ、１２ｂ・・・を形成し、その糊しろ部１２ａ、１２ｂ・・・上に骨材を置くか、タックコートや適宜の接着剤によって糊しろ部１２ａ、１２ｂ・・・を基盤１上に固定するか、或いは、両者を併用して、シート状仕切り材８ａ、８ｂ・・・から構成される仕切り材８を基盤１上に固定する。次に、シート状仕切り材８ａ、８ｂ・・・によって形成される小室１１ａ、１１ｂ、１１ｃ・・・内に骨材を敷き均し、骨材層３を形成する。続いて、骨材層３の上に舗装ブロック４ａ、４ｂ、４ｃ・・・を上面高さを揃えて配設する。このとき、シート状仕切り材８ａ、８ｂの上部の糊しろ部１２ｐ、１２ｑは、単に骨材層３上に折り曲げるだけでも良いし、タックコートや適宜の接着剤によって舗装ブロック４ａ、４ｂ、４ｃ・・・の下面に固着するようにしても良い。その後、適宜位置の目地空間部に間詰め材を詰め、注入材を注入するのはこれまでの施工方法と同じである。
【００６３】
なお、上述した、目地空間部を間詰め材によって充填すること、舗装ブロックの配設時に隣接する舗装ブロック同士を密着させ、勾配方向に沿った目地空間を形成しないようにすること、並びに、骨材層内に仕切り材を埋設することは、施工現場の状況などに応じて適宜選択して、単独で、或いは、組み合わせて用いれば良いのであるが、目安としては、勾配が５％未満の比較的緩やかな施工区間の場合には、目地空間部を間詰め材によって充填することと、舗装ブロックの配設時に隣接する舗装ブロック同士を密着させ、勾配方向に沿った目地空間を形成しないようにすることとを、適宜、単独で、或いは組み合わせて用いれば良く、勾配が５％以上の比較的急な勾配の施工区間に場合には、目地空間部を間詰め材によって充填すること、及び／又は、舗装ブロックの配設時に隣接する舗装ブロック同士を密着させ、勾配方向に沿った目地空間を形成しないようにすることと、骨材層内に仕切り材を埋設することを併せて用いるのが良い。
【００６４】
以上のようにして構築されるブロック舗装は、骨材層と、その上に配設された複数個の舗装ブロックと、骨材層間隙を充填する硬化した注入材とを有し、少なくとも一部の目地空間部に間詰め材を有しているか、及び／又は、舗装ブロックの勾配方向に沿った側の側面が密着している舗装構造を有しており、場合によっては、更に、骨材層内に、基盤上面と舗装ブロック下面との間の骨材層を勾配方向とほぼ直交する方向に沿って仕切る仕切り材を有している。このような構造を有する勾配区間におけるブロック舗装は、骨材層が注入材によって十分に充填されており、基盤と舗装ブロックとが一体化された、安定で、かつ、耐久性に富む勾配区間におけるブロック舗装である。
【００６５】
なお、以上の例は、舗装ブロックとしては長方形のものを使用する場合について説明したが、本発明で使用することができる舗装ブロックとしては、上述のように、正方形、三角形、五角形、六角形、八角形、幾何学模様形、或いはそれらの組み合わせなど、舗装ブロックとして使用できるものであればどのような形状のものであっても良い。図８に、六角形の舗装ブロックを用いた場合の例を示す。図８においては、長さＳの２個の注入区間が示されており、それぞれの注入区間において、注入用ロート６、６’が位置する注入予定目地空間部近傍から勾配方向下流に向かう所定長さの領域に存在する目地空間部に間詰め材７、７が充填されている。図８の例では、５Ｌ１、５Ｌ２、５Ｌ３・・・が勾配方向に沿った目地空間部となり、５Ｒ１、５Ｒ２、５Ｒ３・・・が勾配方向と直交する方向に沿った目地空間部となる。
【００６６】
以下、実験及び実施例によって本発明を更に詳細に説明する。
【００６７】
〈実験１〉
勾配区間のブロック舗装をシミュレートすべく、箱形の鉄枠を用意し、その鉄枠内を勾配５％になるように設置するとともに、その鉄枠内に、粒径５〜１３ｍｍの砕石を厚さ約３ｃｍに敷きならしてレベリングを兼ねた支持層としての骨材層を形成した。その上に２０×３０×厚さ８ｃｍの自然石舗装ブロックを、その短手方向、即ち、長さ２０ｃｍの側面を勾配方向に合わせて、目地幅は１ｃｍとなるように配設した。鉄枠内の勾配上流側に注入材の注入予定目地空間部を決め、その注入予定目地空間部よりも勾配下流方向に向かって、図２に示すように、勾配方向に沿った目地空間部及び勾配方向に直交する方向に沿った目地空間部に、それぞれ、間詰め材を充填した。ただし、勾配方向に沿った目地空間部に関しては、間詰め材の充填領域の長さ、即ちＬは、注入予定目地空間部から勾配方向下流に向かって１００ｃｍとし、勾配方向に直交する方向に沿った目地空間部に関しては、注入予定目地空間部から勾配下流方向の１本目の目地、即ち、図２における５Ｒ２で示される目地空間部までとした。使用した舗装ブロックの勾配方向の長さは２０ｃｍであるので、勾配方向に直交する方向に沿った目地空間部に関しての間詰め材の充填領域の長さ、即ちＲは、２０ｃｍということになる。なお、間詰め材としては、粒径５〜１０ｍｍの砕石を使用し、舗装ブロック上面から約３ｃｍの深さまで充填した。次いで、注入予定目地空間部から注入用ロートを用いて注入材を注入した。
【００６８】
使用した注入材（ＡＣモルタル）の組成及び物性は以下のとおりである。
セメント：普通ポルトランドセメント（太平洋セメント株式会社製）
１００質量部
ポリマー入りアスファルト乳剤：「ＢＦゾル」（ニチレキ株式会社製）
６３質量部
細骨材：珪砂７号
８３質量部
急硬性混和材：カルシウムアルミネートと無水石膏とを重量比でカルシウムアルミネート１に対し無水石膏２の割合で混合した混合物
２５質量部
凝結調整剤：「ジェットセッター」（太平洋マテリアル株式会社製）
０．１質量部
添加剤：「マイティ１５０」（花王株式会社製）
０．５質量部
添加水
７１質量部
物性：表１に示す
【００６９】
【表１】
0004021252.tif 000002
【００７０】
注入した注入材は、勾配方向に沿った目地空間部を伝わって流下することなく、速やかに骨材層内に浸透し、勾配方向下流の目地空間部からも注入材のオーバーフローは見られなかった。注入材の硬化を確認後、ブロック舗装を開削し、骨材層内の充填状況を観察したが、注入区間の全域にわたって未充填の空隙は観察されず、良好な充填状態であった。
【００７１】
〈実験２〉
勾配方向に沿った目地空間部に関しての間詰め材の充填領域の長さ、即ちＬを７０ｃｍとした以外は実験１と同様にして、同様の条件で注入実験を行った。注入した注入材は、勾配方向に沿った目地空間部を伝わって流下することなく、速やかに骨材層内に浸透し、勾配方向下流の目地空間部からも注入材のオーバーフローは見られなかった。注入材の硬化を確認後、ブロック舗装を開削し、骨材層内の充填状況を観察したが、注入区間の全域にわたって未充填の空隙は観察されず、良好な充填状態であった。
【００７２】
〈実験３〉
間詰め材を粒径２．５〜５ｍｍの砕石とした以外は、実験２と同様にして、同様の条件で注入実験を行った。注入した注入材は、勾配方向に沿った目地空間部を伝わって流下することなく、速やかに骨材層内に浸透し、勾配方向下流の目地空間部からも注入材のオーバーフローは見られなかった。注入材の硬化を確認後、ブロック舗装を開削し、骨材層内の充填状況を観察したが、注入区間の全域にわたって未充填の空隙は観察されず、良好な充填状態であった。
【００７３】
〈実験４〉
勾配方向に沿った目地空間部に関しての間詰め材の充填領域の長さ、即ちＬを７０ｃｍとした以外は、実験３と同様にして、同様の条件で注入実験を行った。注入した注入材は、勾配方向に沿った目地空間部を伝わって流下することなく、速やかに骨材層内に浸透し、勾配方向下流の目地空間部からも注入材のオーバーフローは見られなかった。注入材の硬化を確認後、ブロック舗装を開削し、骨材層内の充填状況を観察したが、注入区間の全域にわたって未充填の空隙は観察されず、良好な充填状態であった。
【００７４】
〈実験５〉
間詰め材を乾燥砂とした以外は、実験４と同様にして、同様の条件で注入実験を行った。注入した注入材は、勾配方向に沿った目地空間部を伝わって流下することなく、勾配方向下流の目地空間部からも注入材のオーバーフローは見られなかったが、注入材の硬化を確認後、ブロック舗装を開削し、骨材層内の充填状況を観察したところ、骨材層内に注入材が未充填の空隙が観察された。これは、間詰め材として用いた乾燥砂が、骨材層内に浸透し、注入材の良好な浸透を妨げたためと考えられる。
【００７５】
〈実験６〉
間詰め材を全く充填しない以外は、実験５と同様にして、同様の条件で注入実験を行った。注入した注入材は、注入途中で、勾配方向に沿った目地空間部を伝わって流下し、使用した鉄枠を越えてオーバーフローした。注入材の硬化を確認後、ブロック舗装を開削し、骨材層内の充填状況を観察したところ、骨材層内に注入材が未充填の空隙が多数観察された。
【００７６】
〈実験７〉
勾配方向に沿った目地空間部には間詰め材を充填しないこと以外は、実験４と同様にして、同様の条件で注入実験を行った。注入した注入材は、注入途中で、勾配方向に沿った目地空間部を伝わって流下し、使用した鉄枠を越えてオーバーフローした。注入材の硬化を確認後、ブロック舗装を開削し、骨材層内の充填状況を観察したところ、骨材層内に注入材が未充填の空隙が多数観察された。
【００７７】
〈実験８〉
鉄枠の勾配を７．５％とするとともに、勾配方向に沿った目地空間部に関しての間詰め材の充填領域の長さ、即ちＬを５０ｃｍとした以外は、実験１と同様にして、同様の条件で注入実験を行った。注入した注入材は、注入途中で、間詰めされた勾配方向に直交する方向に沿った目地空間部から勾配方向に沿った目地空間部に滲み出し、やがて溢れ出して勾配方向下流に流れ、使用した鉄枠下部から若干ではあるがオーバーフローした。注入材の硬化を確認後、ブロック舗装を開削し、骨材層内の充填状況を観察したところ、骨材層内に注入材が未充填の空隙が若干観察された。
【００７８】
〈実験９〉
鉄枠の勾配を７．５％とするとともに、勾配方向に直交する方向に沿った目地空間部に関しては、Ｒを４０ｃｍ、即ち、注入予定目地空間部から勾配下流方向の２本目の目地空間部、即ち、図２における５Ｒ２、５Ｒ３で示される目地空間部まで間詰め材を充填した以外は、実験３と同様にして、同様の条件で注入実験を行った。注入した注入材は、勾配方向に沿った目地空間部を伝わって流下することなく、速やかに骨材層内に浸透し、勾配方向下流の目地空間部からも注入材のオーバーフローは見られなかった。注入材の硬化を確認後、ブロック舗装を開削し、骨材層内の充填状況を観察したが、注入区間の全域にわたって未充填の空隙は観察されず、良好な充填状態であった。
【００７９】
〈実験１０〉
勾配方向に沿った目地空間部に関しての間詰め材の充填領域の長さ、即ちＬを５０ｃｍとするとともに、注入材の注入予定目地空間部から勾配方向下流に２００ｃｍ下の位置に、勾配方向と直交する方向に、目付量８５ｇ／ｍ２の不織布（「スパンボンド」、幅約２５ｃｍ、東洋紡績株式会社製）１枚を、鉄枠上面と舗装ブロック下面との間をほぼ垂直に仕切るように埋め込んだ以外は、実験９と同様にして、同様の条件で注入実験を行った。注入材の硬化を確認後、ブロック舗装を開削し、骨材層内の充填状況を観察したところ、埋め込んだ不織布が注入材の勾配下流側への浸透を有効に遮断しており、不織布の埋設が、注入材の流動遮断に有効であることが確認された。
【００８０】
〈実験１１〉
仕切り材として、不織布の代わりに、複数枚の不織布（「スパンボンド４０８１Ｎ」、東洋紡績株式会社製、ポリエステル長繊維不織布、目付量目付量８５ｇ／ｍ２、幅１０ｃｍ）の適宜の箇所を接着剤で固着し、拡げたときに０．７ｍ×０．７ｍのほぼ正方形の小室が複数個二次元状に形成される仕切り材を用いた以外は、実験１０と同様にして、同様の条件で注入実験を行った。なお、仕切り材を設置した後、仕切り材下部を折り曲げて糊しろ部とし、速乾性の接着剤を用いて鉄枠上に点付けし、さらに骨材を置いて移動しないように固定した。仕切り材として使用した不織布は、薄くて柔軟であり、骨材層に埋設した場合でも骨材間に挟まれ良く馴染み、骨材層と一体化していた。また、使用した不織布は、通気性、湿潤性を有しているので、注入材を注入してもエアー溜まりを生じることもなく、骨材並びに基盤、更には舗装ブロックとも良く馴染んだ。また、仕切り材の設置に際しては、単に仕切り材を拡げ、小室を形成するだけで良く、設置間隔を計測したりする必要もなく、確実、簡便に敷設することができた。注入材の硬化を確認後、ブロック舗装を開削し、骨材層内の充填状況を観察したところ、埋め込んだ不織布が注入材の勾配下流側への浸透を有効に遮断しており、不織布の埋設が、注入材の流動遮断に有効であることが確認された。また、小室の隅々まで注入材が充填されており、勾配横断方向の充填も問題なく行われることが確認された。
【００８１】
〈実験１２〉
鉄枠の勾配を７．５％とした以外は、実験３と同様にして、同様の条件で注入実験を行った。注入した注入材のオーバーフローは観察されなかったが、間詰め材を充填していない目地空間部に注入材の浸み出しが観察された。注入材の硬化を確認後、ブロック舗装を開削し、骨材層内の充填状況を観察したが、注入区間の全域にわたって未充填の空隙は観察されず、良好な充填状態であった。
【００８２】
〈実験１３〉
勾配方向に沿った目地空間部に関しての間詰め材の充填領域の長さ、即ちＬを７０ｃｍとするとともに、注入材の注入予定目地空間部から勾配方向下流に２００ｃｍ下の位置に、勾配方向と直交する方向に埋設する不織布を、目付量６５ｇ／ｍ２の不織布（「スパンボンド」、幅約２５ｃｍ、東洋紡績株式会社製）を１枚と、目付量７０ｇ／ｍ２の織布（厚さ０．１ｍｍ、幅約２５ｃｍ［ナイロン・ポリエステル系織布］、東洋紡績株式会社製）を１枚の計２枚に代えた以外は、実験１０と同様にして、同様の条件で注入実験を行った。注入材の硬化を確認後、ブロック舗装を開削し、骨材層内の充填状況を観察したところ、埋め込んだ不織布及び織布が注入材の勾配下流側への浸透を有効に遮断しており、埋設した不織布及び織布が、注入材の流動遮断に有効であることが確認された。
【００８３】
〈実験１４〉
仕切り材として、不織布２枚の代わりに、複数枚の不織布（「スパンボンド４０６１Ｎ」、東洋紡績株式会社製、ポリエステル長繊維不織布、目付量６５ｇ／ｍ２、幅１０ｃｍ）の適宜の箇所を熱融着し、拡げたときに１．０ｍ×０．７ｍのほぼ長方形の小室が複数個二次元状に形成される仕切り材を用いた以外は、実験１３と同様にして、同様の条件で注入実験を行った。なお、仕切り材を設置した後、仕切り材下部を折り曲げて糊しろ部とし、骨材を置いて移動しないように固定した。仕切り材として使用した不織布は、薄くて柔軟であり、骨材層に埋設した場合でも骨材間に挟まれ良く馴染み、骨材層と一体化していた。また、使用した不織布は、通気性、湿潤性を有しているので、注入材を注入してもエアー溜まりを生じることもなく、骨材並びに基盤、更には舗装ブロックとも良く馴染んだ。また、仕切り材の設置に際しては、単に仕切り材を拡げ、小室を形成するだけで良く、設置間隔を計測したりする必要もなく、確実、簡便に敷設することができた。注入材の硬化を確認後、ブロック舗装を開削し、骨材層内の充填状況を観察したところ、埋め込んだ不織布が注入材の勾配下流側への浸透を有効に遮断しており、不織布の埋設が、注入材の流動遮断に有効であることが確認された。また、小室の隅々まで注入材が充填されており、勾配横断方向の充填も問題なく行われることが確認された。
【００８４】
〈実験１５〉
間詰め材を、乾燥砂に代えて、含水率約３重量％の湿潤砂とした以外は、実験５と同様にして、同様の条件で注入実験を行った。注入した注入材は、勾配方向に沿った目地空間部を伝わって流下することなく、速やかに骨材層内に浸透し、勾配方向下流の目地空間部からも注入材のオーバーフローは見られなかった。注入材の硬化を確認後、ブロック舗装を開削し、骨材層内の充填状況を観察したが、注入区間の全域にわたって未充填の空隙は観察されず、良好な充填状態であった。
【００８５】
〈実験１６〉
舗装ブロックを、勾配方向に沿った側面を互いに密着させて配設し、勾配方向に沿った目地空間部を形成せず、従って、勾配方向に沿った目地空間部には間詰め材を充填しないこと以外は、実験４と同様にして、同様の条件で注入実験を行った。注入した注入材は、速やかに骨材層内に浸透し、勾配方向下流の目地空間部からオーバーフローすることもなかった。注入材の硬化を確認後、ブロック舗装を開削し、骨材層内の充填状況を観察したが、注入区間の全域にわたって未充填の空隙は観察されず、良好な充填状態であった。
【００８６】
以上の実験１〜実験１６の結果を、表２にまとめた。なお、表２において、「観察結果」の項の「○」は結果が良好であったことを、「△」はやや良好であったことを、そして、「×」は不良であったことを表すものとする。
【００８７】
【表２】
0004021252.tif 000003
【００８８】
以上の実験１〜実験１６の結果から、勾配が５％以下の場合には、勾配方向に沿った目地空間部に関しての間詰め材の充填領域の長さ、即ちＬは５０ｃｍ程度であれば良く、また、勾配が７．５％の場合には、Ｌは７０ｃｍ程度必要であり、道路等において通常予想される１０％以下程度の勾配であれば、Ｌは５０〜１００ｃｍ程度であれば良いとの知見を得た。同様に、勾配方向に直交する方向に沿った目地空間部に関しての間詰め材の充填領域の長さ、即ちＲは、勾配が５％以下の場合には、２０ｃｍ程度で良いが、勾配が７．５％になると約４０ｃｍ程度必要で、道路等において通常予想される１０％以下程度の勾配であれば、Ｒは２０〜４０ｃｍ程度であれば良いとの知見を得た。
【００８９】
〈実施例〉
道路幅が約６ｍ、延長５５ｍで、横断勾配１．５％、縦断勾配が６．５％である、ほぼ直線の構内道路に、本発明の勾配区間のブロック舗装の構築方法を適用した。基盤となる基層にはアスファルト安定処理層が舗設されており、この上にアスファルト乳剤「ＰＫ−４」（ニチレキ株式会社製）をタックコートとして０．４ｌ／ｍ２散布した。この上に粒径５〜１３ｍｍの砕石を平均３ｃｍの厚さで敷き均し、勾配方向下流から順次２０×３０×８ｃｍの自然石舗装ブロックを目地間隔を１０ｍｍとし、表面高さが所定の高さとなるように、かつ平坦性を確保させながら配設した。このブロック配設作業にあって、勾配方向下流から４ｍ間隔で横断方向に、目付量８０ｇ／ｃｍ２の不織布（「スパンボンド」、東洋紡績株式会社製、幅約２５ｃｍ）を、砕石層を仕切るように埋設した。なお、施工区間の一部には、適正な仕切り材の埋設間隔を把握するために、同様の不織布を、埋設間隔がそれぞれ３ｍ、５ｍ、６ｍとなる区間を設けた。不織布の埋設位置近傍の舗装ブロックにはマーキングを施し、その埋設位置を明確にした。
【００９０】
注入予定目地空間の間隔は、縦断方向、即ち、勾配方向に沿って、１．５ｍとし、不織布埋設位置を考慮して決定した。この注入予定目地から勾配方向下流に向かって長さ約６０〜７０ｃｍの間に形成されている目地空間部に粒径２．５〜５ｍｍの砕石を間詰め材として充填した。充填後、目地に沿って箒で余剰の砕石を取り除き、間詰め材の充填深さが概ね舗装ブロック上面から３ｃｍ下がりとなるように調整した。その後、勾配方向下流から上流に向かって順次、注入予定した目地から注入材を注入した。注入材としては、実験１で用いたのと同じＡＣモルタルを使用した。、
【００９１】
その結果、仕切り材の埋設間隔が４ｍ以下の施工区間では、注入材のオーバーフロー現象は見られず、注入材の硬化確認後に、ブロック舗装を開削して骨材層の充填状況を観察したが、未充填の空隙は見られず、良好な充填状態であった。これに対し、仕切り材の埋設間隔が５ｍの施工区間では、道路端部の合成勾配が大きな位置にオーバーフロー現象の傾向が見られ、仕切り材の埋設間隔が６ｍの施工区間では、合成勾配が大きな舗装端部でオーバーフロー現象が観察された。以上のことから、仕切り材の埋設間隔は、通常、３〜５ｍ、好ましくは４ｍであるとの知見を得た。
【００９２】
【発明の効果】
以上述べたように、本発明の勾配区間のブロック舗装の構築方法によれば、注入材を注入するに先だって、少なくとも、注入材注入予定位置から勾配方向下流に向かう所定の領域に存在する舗装ブロック間に形成される目地空間部に間詰め材が充填されるので、注入した注入材が、注入位置で舗装ブロック下の骨材層に浸透せずに目地空間部を伝って勾配下流方向に流れてしまうことが防止されるとともに、一旦骨材層に浸透した注入材が、勾配方向下流位置で再び目地空間部から溢れ出し、オーバーフローすることもない。
【００９３】
また、本発明の勾配区間のブロック舗装の構築方法においては、複数個の舗装ブロックを配設するに際し、隣接する舗装ブロックの勾配方向に沿った側の側面を互いに密着させ、勾配方向に沿った方向には目地空間部を形成しないようにすることによっても、注入された注入材が、目地空間部を伝って勾配下流方向に流れてしまうことが防止されるとともに、一旦骨材層に浸透した注入材が、勾配方向下流位置で再び目地空間部から溢れ出し、オーバーフローすることも有効に防止される。
【００９４】
更には、本発明の勾配区間のブロック舗装の構築方法においては、骨材層を形成する際に、基盤上面と舗装ブロック下面との間の骨材層を仕切る仕切り材を骨材層内に埋め込んでおくことにより、仕切り材によって注入材の流動が遮断されるので、先に注入され硬化しつつある注入材が、その後、順次勾配方向上流側から注入される注入材の圧力によって、オーバーフローを起こすことが有効に防止される。特に、仕切り材として、複数のシート状の仕切り材を、互いに所定の固着箇所で固着し、拡げたときにシート状仕切り材による側壁で囲まれた複数の小室が二次元状に形成される仕切り材を用いれば、保管時や輸送時には、小室を押しつぶすことによりコンパクトになり、使用時には、拡げるだけで、仕切り間隔を計測することなく、予め決まった縦横の長さの間隔で骨材層を仕切ることが可能になるとの効果が得られる。
【００９５】
上述のような本発明の勾配区間のブロック舗装の構築方法によって構築されるブロック舗装は、骨材層と、その上に配設された複数個の舗装ブロックと、骨材層間隙を充填する硬化した注入材とを有し、少なくとも一部の目地空間部に間詰め材を有しているか、及び／又は、舗装ブロックの勾配方向に沿った側の側面が密着している舗装構造を有しており、場合によっては、更に、骨材層内に、基盤上面と舗装ブロック下面との間の骨材層を仕切る仕切り材を有している。このような構造を有する勾配区間におけるブロック舗装は、骨材層が注入材によって十分に充填されており、基盤と舗装ブロックとが一体化された、安定で、かつ、耐久性に富む勾配区間におけるブロック舗装構造である。
【００９６】
本発明によれば、上記のように安定で、かつ耐久性に富む勾配区間におけるブロック舗装構造を、容易に、かつ、効率的に構築することが可能である。
【図面の簡単な説明】
【図１】  本発明の構築方法の一例を説明するための模式図である。
【図２】  本発明の構築方法の一例を説明するための平面図である。
【図３】  本発明の構築方法の他のを説明するための平面図である。
【図４】  本発明の構築方法の更に他の例を説明するための模式図である。
【図５】  本発明の構築方法の更に他の例を説明するための側面図である。
【図６】  本発明の仕切り材の一例を説明するための図である。
【図７】  本発明の構築方法の更に他の例を説明するための概略図である。
【図８】  本発明の構築方法の更に他のを説明するための平面図である。
【符号の説明】
１                  基盤
２                  タックコート
３                  骨材層
４ａ、４ｂ・・・    舗装ブロック
５Ｌ１、５Ｌ２・・・    勾配方向に沿った目地空間部
５Ｒ１、５Ｒ２・・・    勾配方向に直交する方向に沿った目地空間部
６、６’            注入用ロート
７                  間詰め材
８                  仕切り材
９                  注入材
１０                固着部
１１ａ、１１ｂ・・・  小室
１２ａ、１２ｂ・・・  糊しろ部
α                  勾配角
Ｒ                  勾配方向に沿った目地空間部に関しての所定領域の長さ
Ｌ                  勾配方向に直交する方向に沿った目地空間部に関しての所定領域の長さ
Ｓ                  １箇所からの注入材の注入によって充填される施工区間の長さ
Ｗ                  仕切り材の埋設間隔
ＤＬ、ＤＲ            小室の縦横の長さ
【図１】
0004021252.tif 000004
【図２】
0004021252.tif 000005
【図３】
0004021252.tif 000006
【図４】
0004021252.tif 000007
【図５】
0004021252.tif 000008
【図６】
0004021252.tif 000009
【図７】
0004021252.tif 000010
【図８】
0004021252.tif 000011